(57)【要約】【課題】  埃や異物が噴射パターンを妨害する可能性を低減する、インクジェット装置のためのエアーシステムを提供する。【解決手段】  流動体小滴路に流動体を噴射する流動体噴射装置のためのポジティブエアーシステムは、流動体噴射装置への埃および異物の進入を妨げ、さらに流動体小滴路内への埃および異物の導入を妨げる。エアーシステムは、バリアーを形成し且つ流動体噴射装置を囲い込む少なくとも一つの壁部を有する囲い込み部を有する。バリアーは局所環境を形成する。少なくとも一つの壁部は、中に形成される複数のオリフィスを有し、該オリフィスは、流動体小滴路からそれる方向に加圧空気の流れを向けるように形成される。流動体小滴路と加圧空気の流れの方向とは互いに近づき合うことはなく、オリフィスから流れる加圧空気は、小滴路を通して移動する流動体を妨げない。【選択図】      図１
2004299398.tif 000002
【特許請求の範囲】
【請求項１】
流動体小滴路に流動体を噴射するように形成された流動体噴射装置のためのポジティブエアーシステムにおいて、
バリアーを形成し且つ前記流動体噴射装置を囲い込む少なくとも一つの壁部を有する囲い込み部を有し、前記バリアーは局所環境を形成し、少なくとも一つの前記壁部は前記壁部内に形成される複数のオリフィスを有し、前記オリフィスは、前記流動体小滴路からそれる方向に、前記オリフィスからの加圧空気の流れを向けるように形成され、前記流動体小滴路と前記加圧空気の流れとは互いに近づき合うことはなく、
前記オリフィスからの前記加圧空気の流れは、前記流動体噴射装置への埃および異物の進入を妨げ、さらに、前記流動体小滴路内への埃および異物の導入を妨げ、前記オリフィスからの前記加圧空気の流れは、前記流動体小滴路を通して移動する流動体を妨げない、ポジティブエアーシステム。
【請求項２】
前記囲い込み部は、上側壁部と、一対の対向する側壁部とを形成する三つの壁部を有する、請求項１に記載のポジティブエアーシステム。
【請求項３】
少なくとも一つの前記壁部は、第二の空気枝部に分割される第一の空気枝部を有し、前記第二の空気枝部は第三の空気枝部に分割され、前記第三の空気枝部はオリフィス枝部で終端して分割され、また、各前記空気枝部は、前記第一の空気枝部から前記オリフィスへの実質的に等しい圧力降下をもたらすように形成される、請求項１に記載のポジティブエアーシステム。
【請求項４】
実質的に等しい圧力降下をもたらすために、前記空気枝部内に一つ以上のリストリクターを有する、請求項３に記載のポジティブエアーシステム。
【請求項５】
前記空気枝部に空気を向けるために、前記空気枝部内に一つ以上のダイバータを有する、請求項３に記載のポジティブエアーシステム。
【請求項６】
一つの前記第一の空気枝部と、前記第一の空気枝部から延在する三つの前記第二の空気枝部と、前記第二の空気枝部の各々から延在する三つの前記第三の空気枝部とを有し、前記第三の空気枝部の各々は、一対の前記オリフィス枝部で終端する、請求項３に記載のポジティブエアーシステム。
【請求項７】
少なくとも一つの前記壁部は、前記流動体が噴射される対象物から偏向される空気が前記流動体噴射装置から離れるように偏向されるように、前記流動体小滴路に対して斜めに方向付けられる、請求項１に記載のポジティブエアーシステム。
【請求項８】
最も外側の前記オリフィスは、外側へ角度付けられる、請求項１に記載のポジティブエアーシステム。
【発明の詳細な説明】
【技術分野】
【０００１】
本発明は、概して、流動体噴射装置のためのエアーシステム（空気システム）に関する。特に、本発明は、例えばインクジェット印刷システムのような流動体噴射装置の適当な動作を異物が妨害することを防ぐためのエアーシステムに関する。
【背景技術】
【０００２】
流動体噴射装置は普及している。このような流動体噴射装置の特別な一つの使用は、インクジェット印刷装置にある。インクジェット印刷装置の方式には複数のタイプがある。一つのタイプの印刷装置は、毛管作用により（例えばインクのような）作用流動体を印字ヘッドへ動かす。インクは、一つ以上のオリフィスを通して印字ヘッドから目標被印刷物の方へ向けられる。インクジェット印刷装置は、オリフィスを通してインクを移動するためのアクチュエータ（作動装置）を有する。アクチュエータは、ピエゾ（ｐｉｅｚｚｏ）電気要素、熱装置等を有することができる。模範的なインクジェット印字ヘッドは、米国特許第４，４１８，３５５号明細書に開示されている。
【０００３】
インクは、流動体の小滴として印字ヘッドから噴射される。これらの小滴は、体積および質量において極めて小さい。多くのこのような作業が商業上の環境または工業上の環境において実行される点で、プロセスは埃および異物の影響を受ける可能性がある。例えば、印刷は、製造工場内のコンベヤ−またはラインで運ばれる箱または他の出荷コンテナーにしばしば適用される。このために、埃および異物が印刷作業を中断または妨害する可能性はまさに高い。
【０００４】
インクジェット印字ヘッドおよびインク小滴路内への埃および異物の導入を妨げるために、複数の装置、形態および方法が提案され利用されている。例えば、エアーナイフ、エアーカーテン、噴出ノズル、エアーブランケット（ａｉｒ  ｂｌａｎｋｅｔｓ）が、印字ヘッドのまわりの埃および異物を軽減するように形成される。しかし、これらの装置は、印字ヘッドの一部分として製造される。従って、それらは比較的に高価で、既存のインクジェットシステムに組み込むことはできない。
【０００５】
さらに知られているシステムは、通常、約２０６８４３Ｐａ（約３０ｌｂ／ｉｎ2（ｐｓｉ））から約５５１５８１Ｐａ（約８０ｌｂ／ｉｎ2（ｐｓｉ））の範囲の高圧力で動作する。知られている低圧力システムでさえも、通常、約２０６８４３Ｐａ（約３０ｐｓｉ）の圧力か、またはそれより大きい圧力で動作する。これらの高圧力システムは、高圧力空気がインク小滴パターンを妨害するように作用することにより、印刷に不利に働く可能性がある。
【０００６】
【特許文献１】米国特許第４、４１８、３５５号明細書
【発明の開示】
【発明が解決しようとする課題】
【０００７】
よって、埃や異物が噴射パターンを妨害する可能性を低減する、インクジェット装置のためのエアーシステムの必要性が存在する。望ましくは、このようなシステムは、噴射された流動体が塗布される製品から異物を効果的に押し払う。さらに望ましくは、このようなシステムは、外部の埃や異物が局所環境内に進入することを妨げるように、噴射される流動体のまわりの環境を包囲する。最も望ましくは、このようなシステムは、たとえ、噴射される流動体に悪影響を及ぼすとしても、その影響を最小限することである。
【課題を解決するための手段】
【０００８】
流動体小滴路に流動体を噴射する流動体噴射装置のためのポジティブエアーシステム（ｐｏｓｉｔｉｖｅ  ａｉｒ  ｓｙｓｔｅｍ）は、流動体噴射装置への埃および異物の進入を妨げ、さらに流動体小滴路内への埃および異物の導入を妨げる。
【０００９】
エアーシステムは、埃および異物が噴射パターンを妨げる可能性を低減するように形成される。さらに、本システムは、噴射された流動体が塗布される製品から異物を押し払う。このようなシステムは、局所環境内への外部の埃および異物の進入を防ぐために、噴射される流動体のまわりで、印字ヘッドの局所環境の包囲を提供する。
【００１０】
重要なことは、本システムは、たとえ噴射される流動体に悪影響を及ぼすとしても、その影響を最小限にすることである。本システムは、バリアーを形成し流動体噴射装置を囲む少なくとも一つの壁部を有する。バリアーは、局所環境を形成する。好ましくは、バリアーは印字ヘッドのまわりに三つまたは四つの壁部により形成される。
【００１１】
壁部は、該壁部の中に形成される複数のオリフィスを有し、該オリフィスは、流動体小滴路からそれる方向に、加圧空気の流れを向けるように形成される。すなわち、オリフィスからの加圧空気の流れが、小滴路を通して移動する流動体を妨げないように、流動体小滴路と加圧空気の流れ方向とは、互いに近づき合うことはない。
【００１２】
バリアーまたは囲い込みは、上側壁部と一対の対向する側壁部とを形成する三つの壁部を有するように形成されることができる。一実施例においては、各壁部は第一空気枝部を有し、該第一空気枝部は第二空気枝部に分割され、該第二空気枝部は第三空気枝部に分割され、該第三空気枝部はオリフィス枝部で終端する。空気枝部は、第一空気枝部から各オリフィスへの実質的に等しい圧力降下を提供するように形成される。
【００１３】
さらに、各オリフィスで空気の流れおよび圧力が釣り合うことを確実にするために、一つ以上のレストリクター（絞り弁）が空気枝部内に配置されることができ、実質的に等しい圧力降下を提供する。また、ダイバータ（ｄｉｖｅｒｔｅｒｓ）が、枝部内へ空気を向けるために、空気枝部内に配置されることができる。
【００１４】
好ましくは、壁部は、流動体小滴路に対して斜めに方向付けられ、流動体が噴射される対象物から偏向される空気は、流動体噴射装置から離れるように偏向される。
【００１５】
代替として、ポジティブエアーシステムは、加圧空気貯蔵部を有するエアーナイフを含む。空気入り口部が、空気を貯蔵部に提供し、制限された加圧空気出口部が、空気の出口を提供する。空気出口部は、流動体小滴路からそれる方向に、空気出口部からの加圧空気の流れを向けるように形成される。このように、流動体小滴路と加圧空気流れの方向とは互いに近づき合わない。出口部からの加圧空気の流れは、流動体噴射装置への埃および異物の進入を妨げ、さらに、流動体小滴路内への埃および異物の導入を妨げ、オリフィスからの加圧空気の流れは、流動体小滴路を通した流動体の移動を妨げない。
【００１６】
この実施例においては、出口部は、複数のオリフィスとして形成されることができる。代替として、出口部は、細長いオリフィス状のスロットとして形成されることができる。エアーナイフは、本体部を有し、また、カバーと、該カバーと本体部との間に配置されるスペーサとを有して形成されることができる。この配置において、スペーサは、空気出口部を形成するスロットを区画する。
【００１７】
代替として、本システムは、局所環境および空気の流れ通路を形成する、流動体噴射装置のための囲い込み部を有する。空気源は、局所環境内に空気を供給し、局所環境の外側環境の圧力よりも高い圧力で囲い込み部を維持する。空気源は、小滴と干渉しないように形成される。圧力解放装置が、圧力が所定の値を越えたときに囲い込み部から空気圧力を解放するために使用されることができる。
【００１８】
本発明のこれらの特徴および利点、および他の特徴および利点は、特許請求の範囲の記載とともに、以下の詳細な説明から明らかになりうる。
【００１９】
本発明の長所および利点は、以下の詳細な説明および図面を検討することにより、より容易に当業者に明らかになりうる。
【発明を実施するための最良の形態】
【００２０】
本発明は、多様な形態の実施例が可能であるが、現状において好適な実施例が図面に示され、以下に記載され、本開示は本発明の模範例として考えられるべきであり、示された特定の実施例に本開示を制限する意図がないことは理解されるべきである。
【００２１】
本明細書のこの部分のタイトル、すなわち、”発明を実施するための最良の形態”は、日本特許庁の要求に関するものであり、本文に開示される対象事項を制限することを意図するものでもなく、暗示するものでもない。
【００２２】
よって、本明細書内に特に参照されているか否かにかかわらず、本明細書に関する全ての特許は参照として本明細書に組み込まれる。
【００２３】
本開示において、単数表現されているものは、単数および複数の両方を含むものとする。逆に、適切な場合には、複数の物として参照されたいかなる物も単一の物を含むものとされる。
【００２４】
図面、特に図１および図２を参照すると、本発明の原理に基づくポジティブエアーシステム１２を有する印字ヘッド、例えばインクジェット印字ヘッドが示されている。ポジティブエアーシステム１２は、埃および異物が印字ヘッド噴射パターンを妨げる可能性を低減し、埃および異物が印字ヘッド１０を汚す可能性を低減する。エアーシステム１２は、噴射される流動体のまわりの環境Ｅを効果的に包囲し、局所環境Ｅに埃および異物が進入することを妨げ、たとえ噴射される流動体のパターンが妨げられるとしてもその妨げを最低限にする。
【００２５】
極めて基本的な形態においては、印刷システム１４はコンベヤー１６を有し、該コンベヤーに沿って箱Ｂ等が印字ヘッド１０を通過して運ばれる。印字ヘッド１０は箱Ｂ上にインクのような流動体を噴射し、例えば、バーコード、パッケージ内容物、郵送先住所などの記載をもたらす。このようなためにコンベヤーの近くに取り付けられる印字ヘッドの多様な配置を当業者は認識しうる。
【００２６】
図１および図２に示されるエアーシステム１２は、印字ヘッド１０のまわりの囲い込み部２０を形成するための、エアーナイフまたはエアーカーテン１８を有する。示されるように、三つのエアーナイフ１８が配置され、コンベヤー１６に沿って、印字ヘッド１０を包囲する。各エアーナイフ１８は、直線配列２４で形成された複数のオリフィス２２を有する壁部１９として形成され、複数のオリフィスを通して、空気が排出または吐き出される。示されるように、エアーナイフ１８の一つ（エアーナイフ１８ａ）は、箱Ｂの運搬方向Ｄに対してほぼ平行な配列２４で、印字ヘッド１０の上方に配置される。対向する一対のナイフ１８ｂ、１８ｃは、箱Ｂの運搬方向Ｄに対してほぼ直角なそれぞれの配列２４で、印字ヘッド１０の両側に配置される。空気源２６は、エアーナイフへの清潔で異物のない空気を供給する。
【００２７】
図３を参照すると、模範的なエアーナイフ１８の断面図が示されている。本ポジティブエアーシステム１２の新規な一つの特徴は、印字ヘッドを包囲する環境、すなわち、例えば局所環境Ｅのようなエアーナイフ１８ａ、１８ｂ、１８ｃにより形成される境界と、印字ヘッドとの間の領域の”清潔さ”を維持する性能である。本ポジティブエアーシステム１２はこの環境を制御する、すなわち、正圧力を維持し、埃や異物の進入を低減または排除し、同時に、流動体噴射パターンの妨害を防ぐ。
【００２８】
空気通路２８は、各ナイフ１８に形成され、主要な枝部または共通の枝部３０から各オリフィス２２へ枝分かれする。各オリフィス２２での圧力降下（または最終圧力）が、互いのオリフィス２２の圧力と等しくなるように、通路２８は形成される。これにより、不明なまたは不明瞭な空気の流れのパターンはない。さらに、圧力降下を釣り合わせることにより、空気の流れのパターンが、流動体噴射パターンの妨害を防ぐことは予測できる。本エアーナイフ１８においては、第一枝部３０は、三つの第二枝部３２に分割される。第二枝部３２の各々は、さらに三つの第三枝部３４に分割され、該第三枝部３４は、対にされたオリフィスフィード枝部３６に分割される。
【００２９】
オリフィスフィード枝部３６の各々は、互いにオリフィスフィード枝部３６とほぼ同一の長さである。従って、各オリフィスフィード枝部３６にわたる圧力降下は、ほぼ同様である。しかし、第二枝部３２および第三枝部３４の長さは等しくはなく、各枝部の間（、すなわち各第二枝部３２の間または各第三枝部３４の間）で、圧力降下は異なる。枝部３２、３４の各々にわたる圧力降下がほぼ等しくなることを確実にするために、ダイバータ（ｄｉｖｅｒｔｅｒ）３８が、枝部３２または枝部３４の接合部近くに配置される。これにより、ダイバータは、多様な枝部３２および３４内へ空気の流れを向けるか、または方向転換させ、オリフィス２２の各々での圧力降下（および出口部圧力）を等しくする。
【００３０】
ダイバータ３８に加えて、ピン４０が、第二枝部３２および第三枝部３４の最も短い枝部の各々の入り口部に配置される。ピン４０は、多様な枝部を通した圧力降下を釣り合わせることをさらに助力し、オリフィス２２での圧力を釣り合わせる。
【００３１】
選択的に、４２で指し示されたレストリクター（絞り弁）が、オリフィス２２の各々のまわりに配置されることができる。レストリクター４２は、等しい圧力降下（例えば、オリフィスでの等しい圧力）をもたらすことを助力するように形成され、さらに、オリフィスに存在する空気の速度および圧力を制限するように形成される。比較的に高い空気圧力を使用する、知られている正圧力システムとは違って、本システム１２は、約６８９５Ｐａ（約１ｐｓｉｇ）から約３４４７４Ｐａ（約５ｐｓｉｇ）の圧力の空気を使用する。空気圧力が十分に低いと、噴射される流動体に対して悪影響をほとんど及ぼさないので、約６８９５Ｐａ（約１ｐｓｉｇ）の空気圧力は、知られている高圧力システムよりも有利であることが判っている。すなわち、空気は通路から噴射される流動体を動かすことはなく、流動体は、該流動体が塗布される（例えば箱Ｂのような）メディアの方へ移動する。
【００３２】
エアーナイフ１１８のための空気通路１２８の代替の実施例が図４に示される。この実施例においては、空気通路１２８は、図３の実施例の空気通路２８とは異なった形態で形成される。通路１２８は、三つの第二枝部１３２に分割される主要なまたは第一枝部１３０を有する。三つの第二枝部１３２の各々は、三つの第三枝部１３４に分割され、該第三枝部は、三つのオリフィスフィード枝部１３６に分割される。さらに、ピン１４０、ダイバータ１３８およびレストリクター１４２が、（所望ならば）使用されることができ、各オリフィス１２２での空気圧力の釣り合わせまたは均等化を容易にする。さらに、（直径の減少部またはレストリクターのような）制限部１４４が、第一枝部１３０の近くで形成されることができ、さらに圧力の釣り合わせを容易にする。
【００３３】
図４に示されるように、ナイフ１１８の縁の近くのオリフィス１２２ａは外側へ角度付けられることができる。これにより、（図１０から図１３に最も良く示されるように印字ヘッド１０に対してナイフ１１８が外側におよび／または上側へ角度付けられることにより）、上側ナイフおよび側部ナイフが交わる部分の”角部”で生じる空気の流れのいかなる間隙も、”ふさがれる”。
【００３４】
エアーナイフまたはエアーカーテンのさらなる他の実施例が図６から図９に示される。これらの実施例においては、通路が複数あるのではなく、比較的に大きく囲まれたチャンバー２２０が加圧空気貯蔵部２２３を備える。空気は、チャンバー２２０（図６）の本体部内の複数の小さなオリフィス状の開口部２２２を通して貯蔵部２２３の外へ向けられるか、または、貯蔵部２２３の上を横たわるチャンバー２２０のためのカバープレート２２６（図８）内またはチャンバー２２０内の細長く狭いオリフィス状のスロット２２８を通して貯蔵部２２３の外へ向けられる。
【００３５】
図９に示される、さらにもう一つの実施例３１８においては、切り欠き部または刻み込まれた部分３３２を有する薄いスペサ−プレート３３０（約０．０２５４ｍｍ（約１／１０００インチまたは１ｍｉｌ））が、チャンバー本体３２０およびカバープレート３２６との間に配置される。切り欠き部３３２は、貯蔵部３２３に対して開放しており、空気は、切り欠き部３３２により形成される細長いオリフィス状のスロット３２２を通して、チャンバー本体３２０とカバープレート３２６との間で貯蔵部３２３から出る。この配置は、制限された流れの連続する通路または連続する制限部を提供し、例えば、スロット３２２の長さに沿って制御された流れ（および圧力）を提供する。
【００３６】
エアーナイフの実施例２１８、３１８の模範的な断面が図７に示されている。図に示めされるように、貯蔵部２２３、３２３に対する入り口部２３４、３３４であってチャンバー本体２２０、３２０内に形成される入り口部は、（制限部を形成するように）貯蔵部２２３、３２３の大きさと比較して小さい。従って、いかなるオリフィス２２２の圧力降下も、他のいかなるオリフィス２２２の圧力降下とほぼ等しく、同様に、細長いスロット２２８、３２２に沿ったいかなる場所の圧力降下も、スロット２２８、３２２に沿った他のいかなる場所の圧力降下にほぼ等しい。
【００３７】
図４に示された実施例１１８の角度付けられたオリフィス１２２ａと同様に、スペーサプレート３３０は、ナイフ３１８の角度付けられた方向性を提供するために、空気を斜めに外側へ向けるように角度付けられた縁３３３を有することができる。このことは、上側ナイフと側部ナイフ３１８の角部または接合部での”間隙”を防ぐ。
【００３８】
低圧力システムを新しく使用するとともに、図１０に示されるように、本ポジティブエアーシステム１２は、角度付けられたカーテンまたはナイフ１８を使用し、（図１２において矢印４４で指し示される）印字ヘッド１０から離れるように偏向された空気を向けることを容易にする。すなわち、オリフィス２２、１２２、２２２（またはスロット２２８、３２２）は、印が印刷される箱の表面Ｓに対して直角に空気を向けるのではなく、オリフィス２２、１２２、２２２（またはスロット２２８、３２２）は、表面Ｓに対して斜めに空気を向ける。これにより、表面Ｓから偏向する空気は、印字ヘッド１０の方へではなく、印字ヘッド１０から離れるように向けられる。この配置により、埃および異物は局所環境Ｅから吹き払われ、印字ヘッド１０および環境Ｅが汚染されないで維持されることが認められた。また、この配置により、（例えば、印字ヘッド１０のまわりのすぐ近くの）局所環境Ｅ内の、流動体小滴路に悪影響を与える渦流の形成を妨げる。
【００３９】
また、図１０から図１３に示されるように、ポジティブエアーシステム１２は、追加の箱清掃ナイフ４６を有することができ、該箱清掃ナイフは、印字ヘッド１０および、それと協働するナイフ／カーテン１８、１１８、２１８、３１８の上流側に配置される。この追加のナイフ４６は、箱Ｂが印字ヘッド１０に提供される前に、箱Ｂ上に存在するいかなる埃および異物をも除去することにより、局所環境Ｅが汚染されないことを維持することを容易にする。
【００４０】
ポジティブエアーシステム５０の代替の実施例が図１５および図１６に示される。この実施例においては、印字ヘッド１０は、トンネル５４を本質的に形成する囲い込み部５２内に配置される。従って、空気は、印字ヘッド１０のまわりを囲い込むトンネル５４を通して、トンネルの前方端部５６の外へ流れ、印字ヘッド１０を通過する。
【００４１】
トンネル５４の超過圧力を防止するために、フラッパーバルブ（ｆｌａｐｐｅｒ  ｖａｌｖｅ）５８が囲い込み壁部６０の一つに配置され、箱Ｂがトンネル正面５６を通過するときに、フラッパーバルブはトンネル５４と外環境との間の連通を提供する。フラッパーバルブ５８は、通常の動作の間は閉鎖され、ほとんどトンネル正面５６を隔離する。箱Ｂがトンネル５４の正面を通過し、印字ヘッド１０を通過しているとき、フラッパーバルブ５８は、トンネル５４内のいかなる圧力増加も解放するために開口する。これにより、トンネル５４を通して供給される空気は、印字ヘッド１０の動作への悪影響（すなわち、流動体小滴路への悪影響）を及ぼさない。さらに、空気は、清潔で異物の無い空気源６２により供給される。
【００４２】
前述の記載から、多くの変形物および代替物が、本発明の新規な概念の真の精神および範囲から逸脱することなく実現可能であることが認められる。本発明が、示された特定実施例に制限されないことが意図され、または考えられていることは理解されるべきである。本開示は、特許請求の範囲に含まれるすべての変形物を、包含することが意図されている。
【図面の簡単な説明】
【００４３】
【図１】本発明の原理に基づくインクジェット印字ヘッドのためのポジティブエアーシステムの一実施例の正面図の略図であり、印字ヘッドに箱が近づいている状態の本システムを示す図である。
【図２】ポジティブエアーシステムの斜視正面図である。
【図３】図１の線３−３に沿って切り取られた模範的なエアーカーテンの断面図である。
【図４】代替のエアーカーテン形態の断面図である。
【図５】図１のポジティブエアーシステムの平面図である。
【図６】本発明の原理を具体化するエアーナイフの代替の実施例の斜視図である。
【図７】図６の線７−７に沿って切り取られた図６のエアーナイフの断面図である。
【図８】エアーナイフのもう一つの代替の実施例の斜視図である。
【図９】エアーナイフのさらにもう一つの代替の実施例の斜視図である。
【図１０】選択的な事前清掃エアーナイフを有する図１から図４に示されたポジティブエアーシステムの略図である。
【図１１】箱が印字ヘッドに接近するときの、図１０のエアーシステムの空気流れの模式図である。
【図１２】箱が事前清掃ナイフの正面を通過するときの、図１０から図１１の空気の流れの模式図の背面斜視図である。
【図１３】箱が印字ヘッドの正面を通過するときの、図１０から図１２の空気の流れの模式図の正面斜視図である。
【図１４】箱が印字ヘッドに接近するときの箱が示された、本発明の原理を具体化する、ポジティブエアーの囲い込み部を有するポジティブエアーシステムの代替の実施例の略図である。
【図１５】箱が印字ヘッドの正面を通過するときの、図１４の空気の流れの模式図の背面斜視図である。
【図１６】箱が印字ヘッドの正面を通過するときの、図１５と同様の空気の流れの模式図の正面斜視図である。
【符号の説明】
【００４４】
１０…印字ヘッド
１２…ポジティブエアーシステム
１８…エアーナイフ
【図１】
2004299398.tif 000003
【図２】
2004299398.tif 000004
【図３】
2004299398.tif 000005
【図４】
2004299398.tif 000006
【図５】
2004299398.tif 000007
【図６】
2004299398.tif 000008
【図７】
2004299398.tif 000009
【図８】
2004299398.tif 000010
【図９】
2004299398.tif 000011
【図１０】
2004299398.tif 000012
【図１１】
2004299398.tif 000013
【図１２】
2004299398.tif 000014
【図１３】
2004299398.tif 000015
【図１４】
2004299398.tif 000016
【図１５】
2004299398.tif 000017
【図１６】
2004299398.tif 000018